(57)【特許請求の範囲】
【請求項１】
バーナーと、安定器と、安定器を含んでいる安定器ハウジングと、電力源に接続するためのベースとを有している無電極蛍光ランプにおいて、
前記バーナー内にリエントラント・キャビティを備え、
フェライト管が前記リエントラント・キャビティ内に位置決めされており、
前記バーナーに連通しているアマルガム容器を備え、
前記バーナーと前記安定器ハウジングとを接続するハウジングキャップを備え、
前記安定器ハウジングの一部として形成されているＥＭＩカップを備え、該ＥＭＩカップは底部分を有しておりかつ開口を有するキャップを有しており、該開口内で上部分を閉じるようになっており、前記アマルガム容器が該開口を通って前記安定器ハウジング内に延在しており、
前記ＥＭＩカップは安定器構成要素を含んでいる安定器ボードとガスケットを含んでおり、該安定器ボードは前記底部分の上に位置決めされておりかつ該ガスケットは前記上部分に隣接して位置決めされておりかつ前記安定器ボードを所定位置に保持しかつ当該ランプに対する軸線方向の衝撃の緩衝部を形成する
無電極蛍光ランプ。
【請求項２】
前記ＥＭＩカップは環状のセンタリングリングを含んでおり、該センタリングリングは前記安定器ボードを取り囲んでおりかつ内側に延びているフランジを含んでおり、該フランジに該安定器ボードが載着されて、前記安定器ボードと前記ＥＭＩカップの底部分との間の固定の距離が維持されるようになっている
請求項１記載の無電極蛍光ランプ。
【請求項３】
前記ＥＭＩカップは粘性状態で使用される安定器ヒートシンクを含んでいて、前記安定器ボードの底部は前記安定器ヒートシンクの上に設けられており、これにより該安定器ボードでの安定器の冷却が行われように電気的な絶縁および熱的なコンタクトが形成されるようになっている
請求項２記載の無電極蛍光ランプ。
【発明の詳細な説明】
【技術分野】
【０００１】
本発明は、蛍光ランプ、更に特定すれば無電極蛍光ランプに関する。一層特定すればリエントラント・キャビティを有するようなランプに関する。
【背景技術】
【０００２】
市場ではより小さくかつ形状が白熱電球により近いという一層効率よい蛍光ランプに対する要求が強まっているので、従来の電極使用蛍光ランプは困難に直面している。従来の電極を用いた放電をカバーするＡ形のガラス球では、反射損失のために近似的に８％のルーメン低下が引き起こされる。電極使用ランプの管状蛍光体層（ここに熱が生成される）とＡ形の外側のカバー部（ここで熱は装置を離れる）との間のガス分離により、非常に高い装置温度が生じることになる。この一層高い温度のために、Ａ形の電極付き装置において一層高いルーメン（例えば、１５Ｗ、８００ｌｍ以上）を生成するということに重大な問題が生じる。
【０００３】
無電極蛍光放電ランプは、コンパクトな蛍光ランプを市場に提供するというこれまでの試みに関連した問題を数多く解決してきた。放電チャンバは、外側のカバー部が必要とされないようにＡ形状において作ることができる。蛍光体はランプのＡ形状部分にあって、冷却はより効率がいい。このようなコンパクトな無電極蛍光ランプは一時期市場に出回っておりかつ基本的に次の２つの異なったタイプに分けられる：１つのタイプは、別個の安定器を有している誘導的に駆動されるプラズマ放電であり、かつもう１つのタイプは、安定器が組み込まれ、誘導的に駆動される放電である。後者のタイプの無電極放電ランプは一般に申し分なく作用するが、熱、いくつかの用途に対する不適切なＲＦシールドおよびアマルガムに対する不適切な温度コントロールに関していくつかの問題を示している。
【発明の開示】
【発明が解決しようとする課題】
【０００４】
従って本発明の課題は従来技術の示していた欠点を克服することである。
【０００５】
本発明の別の課題は、アマルガム温度コントロールが改善された蛍光ランプを提供することである。
【０００６】
更に本発明の課題は、良好なＲＦシールドを有する無電極蛍光ランプをリーズナブルなコストで提供することである。
【課題を解決するための手段】
【０００７】
この課題は本発明の１つの局面において、バーナーと、安定器と、安定器を含んでいる安定器ハウジングと、電力源に接続するためのベースとを有している無電極蛍光ランプから出発している。バーナー内にリエントラント・キャビティが設けられておりかつアマルガム容器はバーナーに連通している。ハウジングキャップがバーナーと安定器ハウジングとを接続しかつ安定器ハウジングの一部として形成されているＥＭＩカップがある。ＥＭＩカップは底部分および開口を有するキャップを有しており、該開口内で上部分を閉じるようになっている。アマルガム容器が該開口を通って安定器ハウジング内に延在している。
【発明の効果】
【０００８】
上記構成により、アマルガム温度の調整が楽になる。安定器ハウジングは優れたＲＦシールドを提供するので、そもそも利用しにくい場所でのランプの多様な使用が可能になる。
【実施例】
【０００９】
次に本発明をよりよく理解するために、本発明の他の課題および別の課題、利点およびケーパビリテォと一緒に、本発明を図示の実施例に付き図面を用いて詳細に説明する。
【００１０】
図１には、無電極蛍光ランプ１０が示されている。これはバーナー２０と、安定器４０および電源に接続するためのねじ込み口金５０を含んでいる安定器ハウジング３０とを有している。リエントラント・キャビティ６０はバーナー２０内に形成されておりかつアマルガム７５を含んでいるアマルガム容器７０がリエントラント部の一部としてかつバーナー２０と連通されるように形成されている。適当なプラスチックから成っているハウジングキャップ８０はバーナー２０を安定器ハウジング３０に接続しかつ適当な接着剤３１がバーナー２０をハウジングキャップ８０に固定する。ＥＭＩカップ９０は安定器ハウジング３０にフィットするような挿入体として形成されている。このカップも適当なプラスチックから成って底部分１００およびＥＭＩキャップ１１０を有しており、キャップには開口１２０があって、そこで上部部分１４０が閉じられるようになっている。ＥＭＩカップ９０およびＥＭＩキャップ１１０は有利には、０．５ｍｍの真鍮から形成されている。アマルガム容器７０は開口１２０を通って、キャップ９０内に延在している。アマルガム位置は固定されているが、開口の大きさを変えることでアマルガムチップ温度をコントロールすることができ、ひいてはこれらすべてはアマルガム温度に依存しているのだが、装置のルーメン出力（lumen output）、効力（efficacy）、ＣＣＴおよびＣＲＩをコントロールすることができる。
【００１１】
ワイヤが巻き付けられたフェライト管１５０の形のカップラーはリエントラント・キャビティ６０に位置決めされておりかつ熱絶縁性のカップラーキャップ１５２およびカップラーベース１５４を含んでおり、それは、Contronics Corporation から入手可能であるＲｅｓｃｏｒ３００のような、高純度のアルミナをベースとした耐熱性ファイバを含んでいるセラミック紙から形成されている。巻き付けられたワイヤをフェライトコアの頂部および底部に確保するためにカプトンテープを使用してもよい。バーナーハウジング絶縁体１５５がリエントラント部分にはめ込まれておりかつそれはフェライトコアを支持するのにも役立つ。ハウジング絶縁体１５５は有利にはブラックナイロンから作られている。フランジ１５６がハウジング絶縁体１５５を安定器ハウジング３０内にセンタリングする。
【００１２】
ＥＭＩカップ９０は安定器構成要素（コンポーネント）１７０を含んでいる安定器ボード１６０を含んでおり、かつ安定器ボード１６０はカップ９０の底部分１００に隣接して位置決めされておりかつガスケット１８０はカップ９０の下部分１４０にキャップ１１０と対向して位置決めされている。ガスケット１８０は安定器ボード１６０の位置を保持しかつランプ１０に対する軸線方向の衝撃に対する緩衝となる。ガスケット１８０は有利には、シリコーンフォームラバーから構成されている。
【００１３】
ＥＭＩカップ９０は付加的に、環状のセンタリングリング１８９を含んでいる。これは有利には、ナイロンから形成されておりかつ安定器ボード１６０を取り囲みかつ内側に拡がっているフランジ２００を含んでいる。このフランジに安定器ボード１６０が載着され安定器ボード１６０の底面２１０とＥＭＩカップ９０の底部分１００との間の固定された距離が維持されるようにする。
【００１４】
ＥＭＩカップ９０は安定器ヒートシンク２２０を含んでいる。これは粘性の状態において使用されて、安定器ボード１６０の底面２１０における表面実装構成要素を包み込み、これにより電気的な絶縁も熱的なコンタクトも形成されて、安定器ボード１６０における安定器４０の冷却が行われるようになっている。本発明の有利な実施例において、安定器ヒートシンクは熱伝導性のエポキシ樹脂および Dow Corning から入手可能である５ないし６グラムのＳｙｌｇａｒｄ１６５から成っている。
【００１５】
ＤＣボード２３０はスクリューベース５０に位置決めされるようにすることができかつＥＭＩカップ９０とは、有利には約０．００５インチ厚のＮｏｍｅｘの絶縁性ディスク２３５によって絶縁されている。
【００１６】
こうして、そのＲＦシールドのため近傍の電気的な装置との干渉が極めて僅かしかなくしかも優れたアマルガム温度コントロールを有している無電極蛍光ランプが提供される。
【００１７】
現在では本発明の有利な実施例と考察されるものについて図示もされ説明もしてきたが、特許請求の範囲に定義されている発明の範囲を逸脱しない限り、当業者には種々の変化および変形を行うことができることは勿論のことである。
【図面の簡単な説明】
【００１８】
【図１】本発明の実施例の、一部が断面にて示されている立面図
【図２】本発明の安定器ハウジングの拡大された断面図
【符号の説明】
【００１９】
１０  蛍光ランプ
２０  バーナー
３０  安定器ハウジング
５０  ねじ込み口金
６０  リエントラント・キャビティ
７０  アマルガム容器
８０  ハウジングキャップ
９０  ＥＭＩカップ
１００  底部分
１１０  ＥＭＩキャップ
１２０  開口
１４０  上部分
１５０  フェライト管
１６０  安定器ボード
１８０  ガスケット
【図１】
0004686174.tif 000002
【図２】
0004686174.tif 000003